(57)【要約】  【課題】  映像データ及び音声データ等の出力データに欠損補償データが付加された配信データを受信し出力する携帯電話等の出力装置において、速やかに出力を開始し、また続けて出力を行う場合には品質の高い映像及び音声を出力する出力方法及び出力装置を提供する。  【解決手段】  生成装置２は、映像データ及び音声データの出力データにブロック単位で欠損箇所を補償する欠損補償データを付加した配信データを生成し、生成した配信データをストリーミングデータとして配信する。出力装置１は、配信されている配信データを受信し、出力開始時の出力として、配信データに含まれている出力データに基づく出力を行い、所定の操作を受け付け後、配信データに基づく出力の開始から所定時間経過後等の所定の条件を満足した場合に、欠損補償データに基づく欠損補償処理を行った出力データに基づく出力を行う。【選択図】      図１
2006352783.tif 000002
【特許請求の範囲】
【請求項１】
欠損箇所を補償する欠損補償データが出力データに付加された配信データを受信し、受信した配信データに係る出力データに基づく出力を行う出力方法において、
出力開始時の出力として、配信データに含まれる出力データに基づく出力を行い、
次いで、欠損補償データに基づく欠損補償処理を行った出力データに基づく出力を行う
ことを特徴とする出力方法。
【請求項２】
欠損箇所を補償する欠損補償データが出力データに付加された配信データを受信し、受信した配信データに係る出力データに基づく出力を行う出力装置において、
出力開始時の出力として、配信データに含まれる出力データに基づく出力を行う第１手段と、
該第１手段による出力後、欠損補償データに基づく欠損補償処理を行った出力データに基づく出力を行う第２手段と
を備えることを特徴とする出力装置。
【請求項３】
操作を受け付ける操作手段を更に備え、
前記第２手段は、前記操作手段が受け付けた操作に基づいて、出力を開始する構成にしてある
ことを特徴とする請求項２に記載の出力装置。
【請求項４】
前記第１手段による出力を開始後の時間を計時する計時手段を更に備え、
前記第２手段は、前記計時手段が計時している時間が所定時間に達した場合に、出力を開始する構成にしてある
ことを特徴とする請求項２又は請求項３に記載の出力装置。
【請求項５】
複数チャンネルの配信データを受信する様に構成してあり、
出力に係る配信データを選択する選択手段を更に備え、
前記第１手段は、前記選択手段が選択した配信データに係る出力開始時の出力として、配信データに含まれる出力データに基づく出力を行う構成にしてある
ことを特徴とする請求項２乃至請求項４のいずれかに記載の出力装置。
【請求項６】
前記出力データは、映像データ及び／又は音声データに係るストリーミングデータであり、
前記第１手段及び第２手段の出力は、映像及び／又は音声の出力である
ことを特徴とする請求項２乃至請求項５のいずれかに記載の出力装置。
【発明の詳細な説明】
【技術分野】
【０００１】
本発明は、欠損箇所を補償する欠損補償データが出力データに付加された配信データを受信し、受信した配信データに係る出力データに基づく出力を行う出力方法、及び該出力方法を適用した出力装置に関し、特にストリーミングデータ等の出力データに基づく出力開始を速やかに行い、かつ欠損箇所を補償することが可能な出力方法及び出力装置に関する。
【背景技術】
【０００２】
映画、テレビジョン放送、コンサート等の様々な映像データをストリーミング配信する映像配信システムが普及している（例えば特許文献１参照）。
【０００３】
また最近の映像配信システムは、有線によるネットワークだけでなく、無線によるネットワーク、例えば携帯電話を受信側の装置として用いる形態にまで発展しつつあり、更に配信する映像データの多チャンネル化も推進されている。
【０００４】
このような映像配信システムは、配信される映像データが受信側の装置に到達するまでに様々なノイズにより映像データの一部が欠損することがある。特に映像データを無線により携帯電話へ送信する場合には、電磁ノイズによる影響だけでなく、建造物等の障害物による影響も大きいため、有線のネットワークを介しての送信以上に欠損に対する対策が必要となる。
【０００５】
そこで映像データの欠損を補償する方法として組織符号型の欠損補償符号方式が採用されている。欠損補償符号方式では、本来の映像データ（オリジナルデータ）を所定長のブロック単位に分割し、ブロック単位に分割したデータに欠損補償データを付加することで欠損箇所を補償可能とする欠損補償符号化を行い、欠損補償符号化を行ったデータをパケット単位に分割して送信側の装置から配信し、受信側の装置では、受信したデータからブロック単位のデータを生成し、ブロック単位のデータに基づいて欠損を補償する欠損補償復号を行う。
【０００６】
組織符号型の欠損補償符号方式では、例えばｘ，ｙ，ｚという３つのデータで示されるオリジナルデータを送信側の装置から配信する場合に、データｘ，ｙ，ｚに対して排他的論理和の関係にあるデータｗ（＝ｘ  ＸＯＲ  ｙ  ＸＯＲ  ｚ）を欠損補償データとして付加した上で配信する。これにより例えば受信側の装置が受信したデータがｘ，ｙ，ｗのみであっても、データｗは、データｘ，ｙ，ｚと排他的論理和の関係にあるので、受信することができたデータｘ，ｙ，ｗからデータｘを求めることができ、オリジナルデータｘ，ｙ，ｚを補償することができる。
【０００７】
図６は、欠損補償符号化を行ったデータの一例を概念的に示す説明図である。１、２、…、１０、…、２０、…等の数字を付したデータは、所定のデータ長に区切られたオリジナルデータである映像データを示しており、Ｒ１、Ｒ２、…等の符号を付したデータは、欠損補償データを示している。また図６に示すデータは、１、２、…、１０、Ｒ１、１１、…、２０、Ｒ２、２１、…の順に転送される。図６に示す例では、オリジナルの１０個の映像データに対して１個の欠損補償データを付加することで、第１ブロック、第２ブロック、…等のブロックを形成した形態を示している。図６に示す欠損補償符号化を行った映像データを携帯電話等の受信側の装置が受信する場合において、携帯電話が受信する映像データの伝送速度が１２８Ｋｂｐｓで、１つのブロックのブロックサイズが１６０Ｋｂｙｔｅであるとすると、１つのブロックを構成する映像データの受信に要する時間は１０秒となる。なおブロックを単位として欠損補償を行うので、１つのブロックのブロックサイズを大きくしてそのブロックに含まれる欠損補償データを増やせば、パケット欠損を補償する能力を高められる。
【特許文献１】特開２００４−８０１６９号公報
【発明の開示】
【発明が解決しようとする課題】
【０００８】
しかしながら欠損補償符号化の単位となるブロックサイズが大きい程、欠損補償符号化された映像データの受信を開始してから、受信した映像データに基づいて映像の出力を開始するまでの時間が長くなるという問題がある。欠損補償符号化された映像データを受信する場合、１つのブロックの受信を完了後、受信したブロックに含まれる欠損補償符号化データに基づく欠損補償処理を行った上で、映像データに基づく映像を出力することになるからである。例えば図６を用いて説明した様に、１つのブロックを構成するデータの受信に１０秒を要するとすると、データの受信を開始してから映像が出力されるまで１０秒以上を要することになる。特に多チャンネル化が進み、出力させる映像を次々と切り替える、所謂ザッピングを行う場合、データの受信を開始してから出力されるまでの時間は、視聴者に対してストレスを与えることになる。
【０００９】
なお欠損補償符号を付加しない映像データを送信する様にした場合、受信側の装置は、１つのブロックを構成するデータの受信を待つ必要が無いので、映像データの受信を開始してから速やかに映像データに基づく映像を出力することができるが、欠損箇所が補償されないため映像に乱れが発生し易く、映像品質が低下するという問題が発生する。
【００１０】
本発明は斯かる事情に鑑みてなされたものであり、映像データ等の出力データに欠損補償データが付加された配信データを受信し出力する出力装置において、出力開始時には、配信データに含まれる出力データに基づく出力を行い、次いで欠損補償データに基づく欠損補償処理を行った出力データに基づく出力を行うことにより、映像品質等の出力品質の低下を防止すると共に、速やかな出力が可能な出力方法、及び該出力方法を適用した出力装置の提供を目的とする。
【課題を解決するための手段】
【００１１】
第１発明に係る出力方法は、欠損箇所を補償する欠損補償データが出力データに付加された配信データを受信し、受信した配信データに係る出力データに基づく出力を行う出力方法において、出力開始時の出力として、配信データに含まれる出力データに基づく出力を行い、次いで、欠損補償データに基づく欠損補償処理を行った出力データに基づく出力を行うことを特徴とする。
【００１２】
第２発明に係る出力装置は、欠損箇所を補償する欠損補償データが出力データに付加された配信データを受信し、受信した配信データに係る出力データに基づく出力を行う出力装置において、出力開始時の出力として、配信データに含まれる出力データに基づく出力を行う第１手段と、該第１手段による出力後、欠損補償データに基づく欠損補償処理を行った出力データに基づく出力を行う第２手段とを備えることを特徴とする。
【００１３】
第３発明に係る出力装置は、第２発明において、操作を受け付ける操作手段を更に備え、前記第２手段は、前記操作手段が受け付けた操作に基づいて、出力を開始する構成にしてあることを特徴とする。
【００１４】
第４発明に係る出力装置は、第２発明又は第３発明において、前記第１手段による出力を開始後の時間を計時する計時手段を更に備え、前記第２手段は、前記計時手段が計時している時間が所定時間に達した場合に、出力を開始する構成にしてあることを特徴とする。
【００１５】
第５発明に係る出力装置は、第２発明乃至第４発明のいずれかにおいて、複数チャンネルの配信データを受信する様に構成してあり、出力に係る配信データを選択する選択手段を更に備え、前記第１手段は、前記選択手段が選択した配信データに係る出力開始時の出力として、配信データに含まれる出力データに基づく出力を行う構成にしてあることを特徴とする。
【００１６】
第６発明に係る出力装置は、第２発明乃至第５発明のいずれかにおいて、前記出力データは、映像データ及び／又は音声データに係るストリーミングデータであり、前記第１手段及び第２手段の出力は、映像及び／又は音声の出力であることを特徴とする。
【００１７】
本発明では、出力開始時の出力として、配信データに含まれる出力データに基づく出力を行うことにより、欠損補償データが付加された一つのブロック分のデータの受信を待たずとも出力が開始されるので、配信データの受信を開始してから出力を行うまでの時間を短縮することが可能である。
【００１８】
また本発明では、所定の操作を受け付け後、配信データに基づく出力の開始から所定時間経過後等の所定の条件を満足した場合に、欠損補償処理を行った上で出力を行うので、映像品質等の出力品質の低下を防止することが可能である。
【発明の効果】
【００１９】
本発明に係る出力方法及び出力装置は、映像データ、音声データ等の出力データにブロック単位で欠損箇所を補償する欠損補償データを付加した配信データを生成し、生成した配信データをストリーミングデータとして配信する送信側の装置に対応する受信側の装置であり、配信されている配信データの受信並びに受信した配信データに係る出力データに基づく映像及び音声の出力を行う出力装置に適用する。そして出力装置は、出力開始時の出力として、配信データに含まれている出力データに基づく出力を行い、所定の操作を受け付け後、配信データに基づく出力の開始から所定時間経過後等の所定の条件を満足した場合に、欠損補償データに基づく欠損補償処理を行った出力データに基づく出力を行う。
【００２０】
この様に構成される本発明は、出力開始時には、配信データに含まれる出力データに基づく出力を行うことにより、欠損補償データが付加された一つのブロック分のデータの受信を待たずとも出力が開始されるので、配信データの受信を開始してから出力を行うまでの時間を短縮することが可能である等、優れた効果を奏する。
【００２１】
また本発明は、所定の条件を満足後、欠損補償処理を行った上で映像及び音声を出力するので、映像の乱れ等の出力異常が発生し難く、映像品質等の出力品質の低下を防止することが可能である等、優れた効果を奏する。
【００２２】
なお本発明において、欠陥補償処理を行わずに出力していた状態から、欠陥補償処理を行うように切り替えた直後、欠陥補償処理に伴う遅延により、一時的に同じ映像が再出力される可能性があるが、出力を継続する場合、切り替え直後の一時的な映像の再出力は、視聴者に対して大きなストレスを与えることはなく大きな問題とはならない。
【００２３】
さらに本発明は、複数チャンネルの配信データを受信し、受信した複数チャンネルの配信データの中から出力させる配信データを選択する場合、特に出力に係るチャンネルを次々と切り替える、所謂ザッピングを行う場合、配信データを選択してから映像及び音声を出力されるまでの時間が短いので、視聴者に対してストレスを与えることがないという優れた効果を奏する。なお出力の開始時には、欠陥補償処理が行われないので、例えば映像の乱れが発生する虞があるが、ザッピング時における多少の映像の乱れは、視聴者に対して大きなストレスを与えることはなく大した問題とはならない。
【発明を実施するための最良の形態】
【００２４】
以下、本発明をその実施の形態を示す図面に基づいて詳述する。図１は、本発明の出力方法を適用した映像配信システムの一例を概念的に示す説明図である。図１中１は、無線通信により受信する映像データ及び音声データに基づく映像及び音声を出力する携帯電話等の出力装置である。出力装置１が受信する映像データ及び音声データは、サーバコンピュータ等の生成装置２にて欠損補償符号化された配信データとして生成され、無線基地局を介してストリーミング配信される。なおストリーミング配信される配信データには、チャンネルが割り当てられており、出力装置１は、複数チャンネルの中から選択した一のチャンネルの配信データに係る映像データ及び音声データに基づく映像及び音声を出力する。但し、夫々のチャンネルの配信データは、一の生成装置２にて生成され配信されても、また複数の生成装置２にて夫々生成され配信されても良い。
【００２５】
図２は、本発明の出力方法を適用した映像配信システムの構成例を示すブロック図である。携帯電話を用いた出力装置１は、各種通信処理、音声入出力処理、画像表示処理等の各種処理を制御するＣＰＵ(Central Processing Unit) 等の制御手段１０１と、コンピュータプログラム及びデータ等の各種情報を記録するＲＯＭ(Read Only Memory)、ＲＡＭ(Random Access Memory)等の記録手段１０２とを備えている。
【００２６】
また出力装置１は、電話通信、ストリーミング配信される配信データの受信等の通信を行うアンテナ及び通信制御回路等の通信手段１０３と、通信手段１０３が受信した複数チャンネルの配信データの中から出力させるチャンネルに係る配信データを選択する選択手段１０４とを備えている。なお当実施の形態では、電話通信及び配信データの受信で、通信手段１０３を共有する形態を示しているが、夫々の通信毎に通信手段１０３を設ける様にしても良い。
【００２７】
さらに出力装置１は、受信した欠損補償符号化された配信データを一時的に記録するキャッシュメモリを有し、キャッシュメモリに記録した配信データに対して欠損を補償する処理を実行する集積回路等の欠損補償復号手段１０５と、配信データが映像データ及び音声データの原データをＭＰＥＧ(Motion Picture Expert Group) 等の符号化形式にて圧縮符号化されたデータである場合に、伸長復号して映像データ及び音声データの原データを生成する集積回路等の伸長復号手段１０６とを備えている。なお欠損補償復号手段１０５及び伸長復号手段１０６として集積回路を実装するのではなく、記録手段１０２に記録したコンピュータプログラムを実行することにより、欠損を補償する処理を実行する様にしても良い。
【００２８】
さらに出力装置１は、マイク及び音声処理回路等の音声入力手段１０７と、スピーカ及び音声処理回路等の音声出力手段１０８と、英数字及び各種命令等のキー入力を受け付ける押釦等の操作手段１０９と、キー入力された情報及び送受信する情報等の各種情報を表示する液晶ディスプレイ等の表示手段１１０と、時計及びタイマ回路等の計時手段１１１とを備えている。なお操作手段１０９としては、配信データに基づく映像及び音声の視聴の開始及びチャンネルの選択を行う選択釦１０９ａ、欠損の補償処理を開始させる欠損補償処理開始釦１０９ｂ等の押釦が配設されている。
【００２９】
生成装置２は、装置全体を制御するＣＰＵ等の制御手段２１と、配信する映像データ及び音声データの原データを記録するハードディスク等の記録手段２２と、記録手段２２に記録されている映像データ及び音声データの原データをＭＰＥＧ等の符号化形式にて圧縮符号化する圧縮符号化手段２３と、圧縮符号化手段２３により圧縮符号化された映像データ及び音声データ（出力データ）をブロック単位に分割して欠損を補償する欠損補償データを付加した配信データを生成する欠損補償符号化手段２４と、基地局を介して配信データを配信する通信手段２５とを備えている。なお本発明の出力方法を、コンサート、市街地等の撮像対象を撮像しライブ配信する映像配信システムに適用する場合、記録手段２２に映像データ及び音声データを予め記録しておくのではなく、カメラ等の撮像手段を用いた撮像により映像データ及び音声データを生成し、生成した映像データ及び音声データを圧縮符号化及び欠損補償符号化して配信データを生成する様にしても良い。また予め圧縮符号化した映像データ及び音声データを記録手段２２に記録する様にしても良く、その場合、圧縮符号化手段２３は不要となる。また生成装置２から出力装置１へ配信データを配信する速度が十分に高い場合、圧縮符号化せずに映像データ及び音声データの原データを配信する様にしても良い。
【００３０】
次に生成装置２から配信される配信データについて説明する。図３は、本発明の出力方法を適用した映像配信システムにて用いられる生成装置２から配信される配信データの一例を概念的に示す説明図である。図３中、１、２、…、１０、…、２０、…等の数字を付したデータは、所定のデータ長に区切られた出力データである映像データ及び音声データを示しており、Ｒ１、Ｒ２、…等の符号を付したデータは、欠損補償符号化手段２４にて付加された欠損補償データを示している。そして図３に示すデータは、１、２、…、１０、Ｒ１、１１、…、２０、Ｒ２、２１、…の順に配信される。欠損補償データは、所定のデータ長に区切られた所定個のデータに対して排他的論理和の関係にあるデータであり、所定個のデータに欠損補償データを付加することにより、第１ブロック、第２ブロック、…として示す欠損の補償処理の単位となるブロックを構成する。図３に示す例では、所定のデータ長に区切られた１０個の映像データ及び音声データに対して１個の欠損補償データを付加することで１つのブロックを構成している。
【００３１】
また欠損補償データを付加する欠損補償符号化により生成された配信データは、ブロックよりデータ長が小さい送信単位であるパケット単位で生成装置２から配信される。なお各パケットには、配信データのチャンネルを示す符号がヘッダ情報として示されている。
【００３２】
次に本発明の出力方法を適用した映像配信システムに用いられる各種装置の処理について説明する。図４は、本発明の出力装置１の出力処理を示すフローチャートである。出力装置１から出力される映像及び音声を視聴する視聴者は、出力装置１を操作して、配信データを受信し、映像及び音声を出力させる操作を行い、更に視聴するチャンネルを選択する。出力装置１は、制御手段１０１の制御により、選択釦１０９ａから視聴の開始及びチャンネルの選択を行う操作を受け付け（ステップＳ１）、通信手段１０３にて配信データを受信し（ステップＳ２）、受信した配信データの中から選択されたチャンネルの配信データを、選択手段１０４にて選択し（ステップＳ３）、選択された配信データを欠損補償復号手段１０５が有するキャッシュメモリに記録する（ステップＳ４）。ステップＳ３におけるチャンネルの選択は、配信データの受信開始時又はチャンネルの切替時に行われる。
【００３３】
そして出力装置１は、制御手段１０１の制御により、記録した配信データに含まれる出力データである映像データ及び音声データを抽出し（ステップＳ５）、抽出した映像データ及び音声データに基づいて、表示手段１１０及び音声出力手段１０８から映像及び音声の出力を開始する（ステップＳ６）。なお抽出した出力データである映像データ及び音声データが、圧縮符号化されたデータである場合、伸長復号手段１０６にて伸長復号した上で映像及び音声を出力する。本発明の出力装置１は、ステップＳ５〜Ｓ６に示す様に、選択された配信データの出力開始時の処理として、配信データに含まれる出力データに基づく出力を行う。
【００３４】
ステップＳ５〜Ｓ６にて示した処理により、映像及び音声の出力を開始した出力装置１は、計時手段１１１にて、出力を開始してからの時間を計時しており、計時手段１１１が計時している出力開始後の時間が所定時間に達した場合、計時手段１１１は欠損補償処理を開始させる割込命令を発生させる。また計時手段１１１が計時している出力開始後の時間が所定時間に達していない場合であっても欠損補償処理開始釦１０９ｂから欠損補償処理を開始させる操作を受け付けたとき、欠損補償処理開始釦１０９ｂは欠損補償処理を開始させる割込命令を発生させる。
【００３５】
出力装置１は、制御手段１０１にて、欠損補償処理を開始させる割込命令の発生の有無を検出し続けており（ステップＳ７）、割込命令の発生を検出した場合（ステップＳ７：ＹＥＳ）、欠損補償復号手段１０５により、キャッシュメモリに記録した配信データに含まれる欠損補償データに基づいて、出力データである映像データ及び音声データの欠損補償処理を行い（ステップＳ８）、欠損補償処理を行った映像データ及び音声データに基づいて、表示手段１１０及び音声出力手段１０８から映像及び音声の出力を開始する（ステップＳ９）。ステップＳ８〜Ｓ９にて欠損補償処理を行った映像データ及び音声データに基づく映像及び音声の出力を開始する時、ステップＳ５〜Ｓ６の欠損補償処理を行わない映像及び音声の出力は停止される。また欠損補償処理を行った出力データである映像データ及び音声データが、圧縮符号化されたデータである場合、伸長復号手段１０６にて伸長復号した上で映像及び音声を出力する。本発明の出力装置１は、ステップＳ７〜Ｓ９に示す様に、配信データに含まれる出力データに基づく出力を開始後、欠損補償処理を開始させる割込命令の発生を検出した場合、欠損補償処理を行った出力データに基づく出力を行う。
【００３６】
なお図４を用いて説明した出力処理中に、再度チャンネルの操作を受け付けた場合、受け付けた操作に基づいて、出力処理を再スタートする割込命令を発生させ、ステップＳ１に戻り、以降の処理を繰り返す。即ち出力に係るチャンネルを次々と切り替える、所謂ザッピングと呼ばれる操作を受け付けた場合、チャンネルが切り替えられる都度、ステップＳ１からの処理を繰り返すことになる。
【００３７】
図５は、本発明の出力装置１が受信した配信データの一例を概念的に示す説明図である。図５中、１、２、…、１０、…、２０、…等の数字を付したデータは、所定のデータ長に区切られた出力データである映像データ及び音声データを示しており、Ｒ１、Ｒ２、…等の符号を付したデータは、欠損補償データを示している。そして出力装置１は、図５に示すデータを、１、２、…、１０、Ｒ１、１１、…、２０、Ｒ２、２１、…の順に受信する。欠損補償データは、所定のデータ長に区切られた所定個のデータに対して排他的論理和の関係にあるデータであり、所定個のデータに欠損補償データを付加することにより、第１ブロック、第２ブロック、…として示す欠損の補償処理の単位となるブロックを構成する。出力装置１は、出力データ及び欠損補償データにて構成される配信データを受信し記録すると、ステップＳ５〜Ｓ６の処理により、第１ブロックを形成する全てのデータを受信していなくとも、図５に１、２、…として示す出力データを抽出し、抽出した出力データに基づく出力を開始する。ステップＳ５〜Ｓ６の処理による出力を開始する時点において、Ｒ１として示す欠損補償データを受信しておらず、第１ブロックを形成する全てのデータを受信していない場合であっても、１、２、…として示す出力データを受信していれば、出力装置１は、欠損の補償処理を行うことはできないが、出力データに基づく出力を開始することができる。
【００３８】
また欠損補償処理を開始する時点において、出力装置１が、第３ブロックに属する２２として示される出力データまで配信データを受信し記録している場合、ステップＳ８〜Ｓ９の処理により、先ず第２ブロックに属する１１〜２０の数字を付した出力データ及びＲ２の符号を付した欠損補償データに基づく欠損補償処理を行った出力データに基づく出力を開始する。従ってこの時点で、第２ブロックに属する１１〜２０の数字を付した出力データに基づく出力処理を開始している場合、同じ映像及び音声が出力されることになるが、一時的なものであり、これにより視聴者が大きなストレスを感じることはないと考えられる。なお欠損補償処理を開始する時点において、出力装置１が、第１ブロックに属する２として示される出力データまで配信データを受信し記録している場合、Ｒ１の符号を付した欠損補償データを受信するまで、ステップＳ５〜Ｓ６の処理により出力を開始する。
【００３９】
前記実施の形態では、映像データ及び音声データをストリーミング配信するシステムに適用する形態を示したが、本発明はこれに限らず、映像データ又は音声データを配信するシステムに適用する等、様々な形態に展開することが可能である。
【００４０】
また前記実施の形態では、携帯電話を出力装置として用いる形態を示したが、本発明はこれに限らず、携帯電話以外の通信装置であっても良く、また有線のネットワークを介して映像データ及び音声データを配信する等、様々な形態に展開することが可能である。
【図面の簡単な説明】
【００４１】
【図１】本発明の出力方法を適用した映像配信システムの一例を概念的に示す説明図である。
【図２】本発明の出力方法を適用した映像配信システムの構成例を示すブロック図である。
【図３】本発明の出力方法を適用した映像配信システムにて用いられる生成装置から配信される配信データの一例を概念的に示す説明図である。
【図４】本発明の出力装置の出力処理を示すフローチャートである。
【図５】本発明の出力装置が受信した配信データの一例を概念的に示す説明図である。
【図６】欠損補償符号化を行ったデータの一例を概念的に示す説明図である。
【符号の説明】
【００４２】
１  出力装置
１０４  選択手段
１０５  欠損補償復号手段
１０８  音声出力手段
１０９  操作手段
１０９ａ  選択釦
１０９ｂ  欠損補償処理開始釦
１１０  表示手段
１１１  計時手段
２  生成装置
２４  欠損補償符号化手段
【図１】
2006352783.tif 000003
【図２】
2006352783.tif 000004
【図３】
2006352783.tif 000005
【図４】
2006352783.tif 000006
【図５】
2006352783.tif 000007
【図６】
2006352783.tif 000008